(57)【要約】      （修正有）【課題】主画像情報の切替えに連動しない状態から、主画像情報の切替えに連動する状態に簡単に戻ることができる表示端末、表示システム及び画像制御装置を提供する。【解決手段】会議システム１は、メイン画像の制御を行うコンソール端末５、メイン画像の切替えに連動して画像を表示する表示端末６〜９を備える。コンソール端末５は、表示端末６〜９に切替指示情報を送信する。表示端末６〜９は切替指示情報に基づき、表示パネル４８の画像を切替える。表示端末６にキー取得があると、メイン画像の切替えに連動しない非連動状態となる。非連動状態から連動状態に変わる場合、ＲＡＭに記憶された切替指示情報に基づき、現在のメイン画像を簡単に特定できるので、連動状態に簡単かつ確実に復帰できる。【選択図】図１
2012048607.tif 000002
【特許請求の範囲】
【請求項１】
主画像情報を制御する画像制御装置と通信を行い、前記主画像情報と同一の画像情報を表示部に表示可能な表示端末であって、
前記主画像情報と同一の前記画像情報を記憶する画像情報記憶手段と、
前記画像制御装置から送信され、前記主画像情報の切替に連動して前記表示部に表示させる前記画像情報の切替えを指示する切替指示情報を受信する受信手段と、
前記受信手段によって受信された前記切替指示情報を記憶する切替指示情報記憶手段と、
前記受信手段によって受信された前記切替指示情報に連動して、前記表示部に表示した前記画像情報を切替える連動状態と、前記切替指示情報に連動しないで、前記表示部に前記画像情報を表示する非連動状態とを互いに切替える切替手段と、
前記切替手段に対して前記連動状態から前記非連動状態、あるいは前記非連動状態から前記連動状態への切替えが指示されたことを検出する状態切替検出手段と、
前記状態切替検出手段により前記非連動状態から前記連動状態への切替えが指示されたことが検出された場合、前記切替指示情報記憶手段に記憶された前記切替指示情報に基づき、現在の前記主画像情報と同じ前記画像情報に切替えて前記表示部に表示する表示制御手段と
を備えたことを特徴とする表示端末。
【請求項２】
前記切替指示情報記憶手段は、前記切替指示情報を記憶し、
前記表示制御手段は、前記切替手段によって前記非連動状態から前記連動状態に切替えられる直前の前記切替指示情報に従って、前記画像情報を切替えて表示することを特徴とする請求項１に記載の表示端末。
【請求項３】
前記表示制御手段は、前記切替手段によって前記非連動状態に切替えられたときから前記連動状態に切替えられる直前までの複数の前記切替指示情報に従い、対応する前記画像情報を所定時間毎に切替えて前記表示部に表示するスライドショー表示制御手段を備えたことを特徴とする請求項２に記載の表示端末。
【請求項４】
前記切替手段によって前記非連動状態から前記連動状態に切替えられた場合、前記画像制御装置に対して、前記切替指示情報を要求する要求情報を送信する要求情報送信手段を備えたことを特徴とする請求項１から３の何れかに記載の表示端末。
【請求項５】
前記状態切替検出手段は、
前記表示端末の位置を検知する位置検知手段が、前記表示端末が所定位置にあることを検知した場合に、前記非連動状態から前記連動状態への切替えが指示されたことを検出し、
前記位置検知手段が、前記表示端末が所定位置とは異なる位置にあることを検知した場合に、前記連動状態から前記非連動状態への切替えが指示されたことを検出することを特徴とする請求項１から４の何れかに記載の表示端末。
【請求項６】
前記状態切替検出手段は、
利用者の前記表示端末の操作を検知する操作検知手段が、前記利用者の操作を検知した場合に、前記連動状態から前記非連動状態への切替えが指示されたことを検出し、
前記利用者の操作を検知してから操作されない状態が所定時間継続した場合に、前記非連動状態から前記連動状態への切替えが指示されたことを検出することを特徴とする請求項１から４の何れかに記載の表示端末。
【請求項７】
主画像情報を制御する画像制御装置と、当該画像制御装置と通信を行い、前記主画像情報と同一の画像情報を表示部に表示可能な表示端末とを備えた表示システムであって、
前記画像制御装置は、
前記表示端末に対して、前記主画像情報の切替えに連動して前記画像情報の切替えを指示する切替指示情報を送信する切替指示情報送信手段を備え、
前記表示端末は、
前記主画像情報と同一の前記画像情報を記憶する画像情報記憶手段と、
前記画像制御装置の前記切替指示情報送信手段によって送信された前記切替指示情報を受信する受信手段と、
前記受信手段によって受信された前記切替指示情報を記憶する切替指示情報記憶手段と、
前記受信手段によって受信された前記切替指示情報に連動して、前記表示部に表示した前記画像情報を切替える連動状態と、前記切替指示情報に連動しないで、前記表示部に前記画像情報を表示する非連動状態とを互いに切替える切替手段と、
前記切替手段に対して前記連動状態から前記非連動状態、あるいは前記非連動状態から前記連動状態への切替えが指示されたことを検出する状態切替検出手段と、
前記状態切替検出手段により前記非連動状態から前記連動状態への切替えが指示されたことが検出された場合、前記切替指示情報記憶手段に記憶された前記切替指示情報に基づき、現在の前記主画像情報と同じ前記画像情報に切替えて前記表示部に表示する表示制御手段と
を備えたことを特徴とする表示システム。
【請求項８】
請求項１乃至６の何れかに記載の表示端末と通信可能であって、前記主画像情報の制御を行う画像制御装置であって、
前記主画像情報を記憶する主画像情報記憶手段と、
前記表示端末の識別情報を記憶する識別情報記憶手段と、
前記識別情報記憶手段に記憶された前記識別情報に対応する前記表示端末に対して、前記主画像情報の切替えに連動して前記画像情報の切替えを指示する切替指示情報を送信する切替指示情報送信手段と
を備えたことを特徴とする画像制御装置。
【発明の詳細な説明】
【技術分野】
【０００１】
本発明は、表示端末、表示システム及び画像制御装置に関する。
【背景技術】
【０００２】
従来、スクリーン等に表示されたメイン画面を、参加者が所有する表示端末にも表示できる会議システムが利用されている。利用者はメイン画面を見なくても、手元の表示端末の画面を見ながら発言者の説明を聞くことができる。例えば、特許文献１には、メイン画面を各端末において共有できる電子会議システムについて開示されている。
【先行技術文献】
【特許文献】
【０００３】
【特許文献１】特開２００２−９９４９３号公報
【発明の概要】
【発明が解決しようとする課題】
【０００４】
しかしながら、上記のようなメイン画面を各端末で共有するシステムでは、手元の端末に表示されている資料の一部に参加者が注目している場合でも、メイン画面が切替えられてしまうと、手元の端末も画面が変わってしまい、資料の精査ができないことがある。そのため、メイン画面とは関係のない画面に切替えができるようにした端末では、注目資料の精査が終わってメイン画面に戻ろうとしても、現在どのページの資料を参照して説明しているのかすぐにわからないという問題点があった。
【０００５】
本発明は、上記課題を解決するためになされたものであり、主画像情報の切替えに連動しない状態から、主画像情報の切替えに連動する状態に簡単に戻ることができる表示端末、表示システム及び画像制御装置を提供することを目的とする。
【課題を解決するための手段】
【０００６】
本発明の第１態様に係る表示端末は、主画像情報を制御する画像制御装置と通信を行い、前記主画像情報と同一の画像情報を表示部に表示可能な表示端末であって、前記主画像情報と同一の前記画像情報を記憶する画像情報記憶手段と、前記画像制御装置から送信され、前記主画像情報の切替に連動して前記表示部に表示させる前記画像情報の切替えを指示する切替指示情報を受信する受信手段と、前記受信手段によって受信された前記切替指示情報を記憶する切替指示情報記憶手段と、前記受信手段によって受信された前記切替指示情報に連動して、前記表示部に表示した前記画像情報を切替える連動状態と、前記切替指示情報に連動しないで、前記表示部に前記画像情報を表示する非連動状態とを互いに切替える切替手段と、前記切替手段に対して前記連動状態から前記非連動状態、あるいは前記非連動状態から前記連動状態への切替えが指示されたことを検出する状態切替検出手段と、前記状態切替検出手段により前記非連動状態から前記連動状態への切替えが指示されたことが検出された場合、前記切替指示情報記憶手段に記憶された前記切替指示情報に基づき、現在の前記主画像情報と同じ前記画像情報に切替えて前記表示部に表示する表示制御手段とを備えている。
【０００７】
第１態様に係る表示端末では、切替指示情報記憶手段には、画像制御装置から送信された切替指示情報が記憶されているので、画像情報記憶手段に記憶された画像情報のうち、現在どの画像情報が主画像情報に対応するものかわかる。従って、表示制御手段は、切替指示情報記憶手段に記憶された切替指示情報に基づき、現在の主画像情報と同じ画像情報に切替えて表示部に表示できるので、主画像情報に連動する連動状態に簡単に戻ることができる。
【０００８】
また、第１態様において、前記切替指示情報記憶手段は、前記切替指示情報を記憶し、前記表示制御手段は、前記切替手段によって前記非連動状態から前記連動状態に切替えられる直前の前記切替指示情報に従って、前記画像情報を切替えて表示するようにしてもよい。これにより、主画像情報に連動する連動状態に簡単に戻ることができる。
【０００９】
また、第１態様において、前記表示制御手段は、前記切替手段によって前記非連動状態に切替えられたときから前記連動状態に切替えられる直前までの複数の前記切替指示情報に従い、対応する前記画像情報を所定時間毎に切替えて前記表示部に表示するスライドショー表示制御手段を備えてもよい。表示部に対応する画像情報をスライドショーで表示することで、利用者は、非連動状態に切替えられたときから連動状態に切替えられる直前までに切替えられた画像情報を確認できる。
【００１０】
また、第１態様において、前記切替手段によって前記非連動状態から前記連動状態に切替えられた場合、前記画像制御装置に対して、前記切替指示情報を要求する要求情報を送信する要求情報送信手段を備えてもよい。これにより、画像制御装置から最新の切替指示情報を受信できるので、現在の主画像情報に対応する画像情報を表示部に表示できる。
【００１１】
また、第１態様において、前記状態切替検出手段は、前記表示端末の位置を検知する位置検知手段が、前記表示端末が所定位置にあることを検知した場合に、前記非連動状態から前記連動状態への切替えが指示されたことを検出し、前記位置検知手段が、前記表示端末が所定位置とは異なる位置にあることを検知した場合に、前記連動状態から前記非連動状態への切替えが指示されたことを検出するようにしてもよい。従って、利用者は、非連動状態から連動状態に切替えたい場合は、表示端末を所定位置に置き、連動状態から非連動状態に切替えたい場合は、表示端末を所定位置から離せばよい。このように、利用者は表示端末の位置を変えることで、連動状態及び非連動状態の切替えを自由に行うことができる。
【００１２】
また、第１態様において、前記状態切替検出手段は、利用者の前記表示端末の操作を検知する操作検知手段が、前記利用者の操作を検知した場合に、前記連動状態から前記非連動状態への切替えが指示されたことを検出し、前記利用者の操作を検知してから操作されない状態が所定時間継続した場合に、前記非連動状態から前記連動状態への切替えが指示されたことを検出するようにしてもよい。従って、利用者は、連動状態から非連動状態に切替えたい場合は、表示端末について操作し、非連動状態から連動状態に切替えたい場合は、表示端末を操作せずに放置しておけばよい。このように、利用者による表示端末の操作状態に応じて、連動状態及び非連動状態の切替えを自由に行うことができる。
【００１３】
本発明の第２態様に係る表示システムは、主画像情報を制御する画像制御装置と、当該画像制御装置と通信を行い、前記主画像情報と同一の画像情報を表示部に表示可能な表示端末とを備えた表示システムであって、前記画像制御装置は、前記表示端末に対して、前記主画像情報の切替えに連動して前記画像情報の切替えを指示する切替指示情報を送信する切替指示情報送信手段を備え、前記表示端末は、前記主画像情報と同一の前記画像情報を記憶する画像情報記憶手段と、前記画像制御装置の前記切替指示情報送信手段によって送信された前記切替指示情報を受信する受信手段と、前記受信手段によって受信された前記切替指示情報を記憶する切替指示情報記憶手段と、前記受信手段によって受信された前記切替指示情報に連動して、前記表示部に表示した前記画像情報を切替える連動状態と、前記切替指示情報に連動しないで、前記表示部に前記画像情報を表示する非連動状態とを互いに切替える切替手段と、前記切替手段に対して前記連動状態から前記非連動状態、あるいは前記非連動状態から前記連動状態への切替えが指示されたことを検出する状態切替検出手段と、前記状態切替検出手段により前記非連動状態から前記連動状態への切替えが指示されたことが検出された場合、前記切替指示情報記憶手段に記憶された前記切替指示情報に基づき、現在の前記主画像情報と同じ前記画像情報に切替えて前記表示部に表示する表示制御手段とを備えている。
【００１４】
第２態様に係る表示システムでは、表示端末において、切替指示情報記憶手段には、画像制御装置から送信された切替指示情報が記憶されているので、画像情報記憶手段に記憶された画像情報のうち、現在どの画像情報が主画像情報に対応するものかわかる。従って、表示制御手段は、切替指示情報記憶手段に記憶された切替指示情報に基づき、現在の主画像情報と同じ画像情報に切替えて表示部に表示できるので、主画像情報に連動する連動状態に簡単に戻ることができる。
【００１５】
本発明の第３態様に係る画像制御装置は、請求項１乃至６の何れかに記載の表示端末と通信可能であって、前記主画像情報の制御を行う画像制御装置であって、前記主画像情報を記憶する主画像情報記憶手段と、前記表示端末の識別情報を記憶する識別情報記憶手段と、前記識別情報記憶手段に記憶された前記識別情報に対応する前記表示端末に対して、前記主画像情報の切替えに連動して前記画像情報の切替えを指示する切替指示情報を送信する切替指示情報送信手段とを備えている。
【００１６】
第３態様に係る画像制御装置では、識別情報記憶手段に記憶された識別情報に対応する表示端末に対して、主画像情報の切替えに連動して画像情報の切替えを指示する切替指示情報を送信するので、画像制御装置と通信する表示端末において、主画像情報の切替えに連動して画像情報を切替えることができる。
【図面の簡単な説明】
【００１７】
【図１】会議システム１の概念図である。
【図２】コンソール端末５の電気的構成を示すブロック図である。
【図３】文書データ９０の概念図である。
【図４】表示端末６の電気的構成を示すブロック図である。
【図５】ＣＰＵ２０によるコンソール側表示制御処理のフローチャートである。
【図６】ＣＰＵ４０による表示端末側表示制御処理のフローチャートである。
【図７】非連動処理のフローチャートである。
【図８】変形例である表示端末側表示制御処理のフローチャートである。
【図９】変形例である非連動処理のフローチャートである。
【発明を実施するための形態】
【００１８】
以下、本発明の表示端末を具現化した一実施の形態である会議システム１、コンソール端末５及び表示端末６〜９について、図面を参照して説明する。なお、参照する図面は、本発明が採用し得る技術的特徴を説明するために用いられるものである。図面に記載されている装置の構成、各種処理のフローチャート等は、それのみに限定する趣旨ではなく、単なる説明例である。
【００１９】
まず、会議システム１の構成について、図１を参照して説明する。会議システム１は、スクリーン１１に映し出すメイン画像（本発明の「主画像情報」に相当）の表示制御を行うコンソール端末５と、該コンソール端末５と通信を行い、メイン画像と同一画像を表示可能な４台の表示端末６〜９とを備えている。コンソール端末５は、プロジェクタ３を介して、スクリーン１１にメイン画像を映し出す。コンソール端末５は、表示端末６〜９に対して、メイン画像と同一画像についての表示の切替えを指示する切替指示情報を送信する。表示端末６〜９は、受信した切替指示情報に基づき、個々の表示パネル４８にメイン画像と同一画像を表示する。
【００２０】
このような会議システム１の利用場面として、例えば、発表者がスクリーン１１に映し出されたメイン画像について発表する場面が想定される。参加者は、スクリーン１１に映し出されたメイン画像、若しくは手元にある表示端末６〜９の各表示パネル４８に表示されたメイン画像と同一画像を見ながら議論することが可能である。
【００２１】
次に、表示端末６の外観構造について、図１を参照して簡単に説明する。表示端末７〜９は、表示端末６と同じものであるので説明を省略する。表示端末６〜９のサイズ、形状等は、図１の表示態様に限定されるものではない。表示端末６は、正面視縦長の長方形状である。表示端末６の正面略中央には、略長方形状の表示パネル４８が設けられている。表示パネル４８は、不揮発性の表示素子を有する。不揮発性の表示素子として、例えば、マイクロカプセル方式、電気泳動式等の表示素子が使用可能である。不揮発性の表示素子は、表示中の画像を書き換える場合にのみ電力を必要とする。電力の供給が断たれても表示中の画像を保持できる。
【００２２】
表示端末６の正面下部の右側には、表示パネル４８に表示された文書についてページ送りをするための次キー５４が設けられている。正面下部の左側には、表示パネル４８に表示された文書について前ページに戻るための前キー５５が設けられている。次キー５４と前キー５５との間には、メニューキー５６と、決定キー５７とを各々設けている。メニューキー５６は、各種機能を選択するメニューを表示するときに使用する。決定キー５７は、各種設定において決定をするときに使用する。表示端末６は、内部に電池５１（図３参照）を備えている。表示端末６は、電池５１を電源として動作する。電池５１として、例えば、リチウムイオン電池、ニッケル水素電池等が使用可能である。
【００２３】
次に、コンソール端末５の電気的構成について、図２を参照して説明する。コンソール端末５は、ＣＰＵ２０を備えている。ＣＰＵ２０は、コンソール端末５の動作を統括制御する。ＣＰＵ２０には、ＲＯＭ２１、ＲＡＭ２２、及びＩ／Ｏインタフェイス３０が電気的にそれぞれ接続されている。ＲＯＭ２１は、コンソール端末５のメインプログラム等が記憶されている。ＲＡＭ２２は、各種データを一時的に記憶する。
【００２４】
Ｉ／Ｏインタフェイス３０には、無線ルータ１０と、ＨＤＤ３１と、ビデオコントローラ２３と、キーコントローラ２４と、プロジェクタ駆動回路２５と、ＣＤ−ＲＯＭドライブ２６等が接続されている。無線ルータ１０は、表示端末６〜９と無線通信を行い、各種データの送受信を行う。ＨＤＤ３１は、後述する各種記憶領域を備えている。ビデオコントローラ２３は、ディスプレイ２８の表示制御を行う。キーコントローラ２４は、キーボード２９における入力操作等を信号に変換する。プロジェクタ駆動回路２５は、プロジェクタ３の駆動制御を行う。ＣＤ−ＲＯＭドライブ２６に挿入されるＣＤ−ＲＯＭ２６１には、メイン画像の表示制御に関する「コンソール側表示制御プログラム」等の各種プログラムが記憶されている。ＣＤ−ＲＯＭ２６１の導入時には、これら各種プログラムが、ＣＤ−ＲＯＭ２６１からＨＤＤ３１にセットアップされ、後述するプログラム記憶領域３１０に記憶される。
【００２５】
次に、ＨＤＤ３１の各種記憶領域について説明する。図２に示すように、ＨＤＤ３１は、プログラム記憶領域３１０と、登録端末ＩＤリスト記憶領域３１１と、文書データ記憶領域３１２と、表示中文書ＩＤ記憶領域３１３と、表示中ページ数記憶領域３１４と、その他の情報記憶領域３１５と、を少なくとも備えている。プログラム記憶領域３１０には、「コンソール側表示制御プログラム」等の各種プログラムが記憶される。登録端末ＩＤリスト記憶領域３１１には、表示端末６〜９の識別ＩＤが登録された登録端末ＩＤリスト（図示外）が記憶されている。表示端末６〜９の識別ＩＤとして、例えば、ＩＰアドレスが利用可能である。文書データ記憶領域３１２には、例えば、図３に示すような文書データ９０が文書毎に複数記憶されている。
【００２６】
文書データ９０は、図３に示すように、文書ＩＤ、全ページ数、文書を構成する各ページデータ等を含む情報である。表示中文書ＩＤ記憶領域３１３には、メイン画像としてスクリーン１１に現在表示中の文書を識別するための文書ＩＤが記憶される。表示中ページ数記憶領域３１４には、メイン画像としてスクリーン１１に現在表示中の文書のページ数が記憶される。文書データ９０は、文書の種類毎にそれぞれ用意される。
【００２７】
次に、表示端末６の電気的構成について、図４を参照して説明する。表示端末７〜９の電気的構成は、表示端末６と同じであるので説明を省略する。表示端末６は、ＣＰＵ４０を備えている。ＣＰＵ４０は、表示端末６の動作を統括制御する。ＣＰＵ４０には、ＲＯＭ４１、ＲＡＭ４２、及びＥＥＰＲＯＭ４３が電気的に接続されている。ＲＯＭ４１は、プログラム記憶領域４１１と、その他の情報記憶領域４１２等を少なくとも備えている。プログラム記憶領域４１１には、表示端末６の動作に関するメインプログラムや、本発明の「表示端末側表示制御プログラム」等が記憶されている。
【００２８】
ＲＡＭ４２は、切替指示受信バッファ４２１と、表示中文書ＩＤ記憶領域４２２と、表示中ページ数記憶領域４２３と、連動フラグ記憶領域４２４と、キー取得時刻記憶領域４２５と、その他の情報記憶領域４２６等を少なくとも備えている。切替指示受信バッファ４２１には、コンソール端末５から送信される切替指示情報がバッファリングされる。表示中文書ＩＤ記憶領域４２２には、表示パネル４８に現在表示中の文書を識別するための文書ＩＤが記憶される。表示中ページ数記憶領域４２３には、表示パネル４８に現在表示中の文書のページ数が記憶される。
【００２９】
連動フラグ記憶領域４２４には、コンソール端末５のメイン画像の切替えに連動する「連動状態」、若しくは連動しない「非連動状態」の何れにするかを設定するための連動フラグが記憶される。連動フラグがオンであれば、「連動状態」とされ、連動フラグがオフであれば「非連動状態」とされる。キー取得時刻記憶領域４２５には、表示端末６の各種キーが押された時刻が記憶される。
【００３０】
ＥＥＰＲＯＭ４３は、端末ＩＤ記憶領域４３１と、コンソールＩＤ記憶領域４３２と、その他の情報記憶領域４３３等を少なくとも備えている。端末ＩＤ記憶領域４３１は、表示端末６の識別ＩＤ（例えばＩＰアドレス等）が記憶されている。コンソールＩＤ記憶領域４３２には、コンソール端末を識別するためのコンソールＩＤが記憶されている。
【００３１】
ＣＰＵ４０には、さらに、表示制御部４４と、メモリカードスロット４５と、電源制御部５０と、電源スイッチ５３と、前キー５５と、次キー５４と、メニューキー５６と、決定キー５７と、加速度センサ５８等が電気的に接続されている。表示制御部４４は、表示パネル４８の駆動制御を行う。ＣＰＵ４０は、表示制御部４４を介して表示パネル４８に画像を表示できる。メモリカードスロット４５には、メモリカード４７が挿入される。メモリカード４７は、文書データ記憶領域４７１を少なくとも備えている。文書データ記憶領域４７１には、コンソール端末５が所有する文書データ９０と同一の文書データ９０が記憶されている。つまり、コンソール端末５と、表示端末６〜９とは、互いに同一の文書データ９０を備えている。ＣＰＵ４０は、メモリカードスロット４５を介して、メモリカード４７の記憶領域にアクセスできる。
【００３２】
電源制御部５０には、電池５１が接続されている。電池５１から電源制御部５０を介してＣＰＵ４０に電力が供給される。表示端末６には、電池５１の充電を行う充電回路（図示外）が設けられている。充電回路は、図示外のＵＳＢコネクタ、又はＡＣコネクタから供給される電流により、電池５１を充電できる。電源スイッチ５３は、利用者による押下によって電源オン、オフを互いに切替える。ＣＰＵ４０は、利用者の電源スイッチ５３の押下による電源オン、オフの切替えを検出する。
【００３３】
加速度センサ５８は、例えば３軸加速度センサであって、ＸＹＺ軸の３方向の加速度を１デバイスで測定できるものである。代表的なものとして、ピエゾ抵抗型３軸加速度センサ、静電容量型３軸加速度センサ、熱検知型３軸加速度センサ等がある。一般に携帯電話や、ゲーム機のコントローラ等に内蔵されているものが利用可能である。加速度センサ５８によって３軸方向の加速度を検出することで、ＣＰＵ４０は、表示端末６の姿勢を検出できる。本実施形態では、基本姿勢に対する傾きを検出することで、表示端末６を手に持っているか否かを判別する際に利用する。
【００３４】
次に、上記構成からなる会議システム１において、コンソール端末５のＣＰＵ２０が実行する処理、表示端末６〜９のＣＰＵ４０が実行する処理について、順に説明する。
【００３５】
まず、コンソール端末５のＣＰＵ２０が実行するコンソール側表示制御処理について、図５のフローチャートを参照して説明する。本処理は、例えば、コンソール端末５のキーボード２９、又はマウス２７の操作を契機に、ＨＤＤ３１に記憶された「コンソール側表示制御プログラム」が呼び出されて実行される。
【００３６】
はじめに、メイン画像として表示する文書が利用者によって選択されたか否かが判断される（Ｓ１１）。例えば、ＨＤＤ３１の文書データ記憶領域３１２に記憶された文書データ９０のリストがディスプレイ２８に表示される。利用者は、そのリストの中からメイン画像として表示させたい文書をマウス２７によって選択する。特定の文書が選択されるまでは（Ｓ１１：ＮＯ）、待機状態となる。
【００３７】
利用者によって所望の文書が選択された場合（Ｓ１１：ＹＥＳ）、ＨＤＤ３１の表示中文書ＩＤ記憶領域３１３（図２参照）に、選択された文書ＩＤが表示中文書ＩＤとして記憶される（Ｓ１２）。続いて、表示中ページ数記憶領域３１４に、表示中ページ数として「１」が記憶される（Ｓ１３）。次いで、表示中文書ＩＤ記憶領域３１３に記憶された表示中文書ＩＤに対応する文書データ９０（図３参照）の１ページ目のページデータが、プロジェクタ３によってスクリーン１１に映し出される（Ｓ１４）。
【００３８】
そして、表示中文書ＩＤ記憶領域３１３に記憶された表示中文書ＩＤと、表示中ページ数とが、切替指示情報として、ＨＤＤ３１に記憶された登録端末ＩＤリストに登録された表示端末６〜９に向けて送信される（Ｓ１５）。これにより、切替指示情報を受信した各表示端末６〜９では、スクリーン１１に表示されているメイン画像がどの文書であってどのページであるかを確実に認識できる。
【００３９】
次に、ページの切替え操作があったか否か判断される（Ｓ１６）。例えば、利用者によるページの切替え操作があった場合（Ｓ１６：ＹＥＳ）、表示中文書ＩＤ記憶領域３１３に記憶された表示中ページ数が更新される（Ｓ２０）。そして、Ｓ１４に戻り、更新された表示中ページ数に対応するページデータがスクリーン１１に映し出される。さらに、その更新された表示中ページ数が切替指示情報として、登録端末ＩＤリストに登録された表示端末６〜９に向けて送信される（Ｓ１５）。
【００４０】
一方、ページの切替え操作がなかった場合（Ｓ１６：ＮＯ）、文書の切替え指示があったか否か判断される（Ｓ１７）。例えば、利用者による文書の切替え操作があった場合（Ｓ１７：ＹＥＳ）、表示中文書ＩＤ記憶領域３１３に記憶された表示中文書ＩＤと、表示中ページ数とが共に更新される（Ｓ２１）。そして、Ｓ１４に戻り、更新された表示中文書ＩＤに対応する文書の１ページ目のページデータがスクリーン１１に映し出される。そして、更新された表示中文書ＩＤと、表示中ページ数とが、登録端末ＩＤリストに登録された表示端末６〜９に向けて送信される（Ｓ１５）。
【００４１】
また、文書の切替え指示がなかった場合（Ｓ１７：ＮＯ）、各表示端末６〜９から表示中文書の切替指示要求情報を受信したか否か判断される（Ｓ１８）。切替指示要求情報を受信していない場合（Ｓ１８：ＮＯ）、Ｓ１６に戻り、引き続き、ページの切替え操作、文書の切替え指示について監視がなされる。一方、表示端末６〜９の何れかより切替指示要求情報を受信した場合（Ｓ１８：ＹＥＳ）、その切替指示要求情報を送信した端末ＩＤに対応する表示端末に対して、切替指示情報として、ＨＤＤ３１に記憶された表示中文書ＩＤと、表示中ページ数とが送信される（Ｓ１９）。そして、Ｓ１６に戻り、引き続き、ページの切替え操作、文書の切替え指示について監視がなされる。
【００４２】
次に、表示端末６のＣＰＵ４０が実行する表示端末側表示制御処理について、図６及び図７のフローチャートを参照して説明する。本処理は、例えば、表示端末６の電源スイッチがオンされた場合に、ＲＯＭ４１に記憶された「表示端末側表示制御プログラム」が呼び出されて実行される。
【００４３】
図６に示すように、まず、ＲＡＭ４２の連動フラグ記憶領域４２４に記憶された連動フラグがオンされる（Ｓ３１）。次いで、コンソール端末５から送信された切替指示情報を受信して、ＲＡＭ４２の切替指示受信バッファ４２１に記憶されているか否か判断される（Ｓ３２）。切替指示受信バッファ４２１に切替指示情報が記憶されている場合（Ｓ３２：ＹＥＳ）、その切替指示情報に従い、ＲＡＭ４２の表示中文書ＩＤ記憶領域４２２に、切替指示情報に対応する文書ＩＤが記憶される（Ｓ３３）。さらに、ＲＡＭ４２の表示中ページ数記憶領域４２３に、切替指示情報に対応するページ数が記憶される（Ｓ３４）。
【００４４】
次いで、表示中文書ＩＤ記憶領域４２２に記憶された表示中文書ＩＤに対応する文書データ９０（図３参照）のうち、表示中ページ数記憶領域４２３に記憶された表示中ページ数に対応するページデータが、表示パネル４８に表示される（Ｓ３５）。そして、Ｓ３２に戻り、再度、コンソール端末５から新たに送信された切替指示情報を受信して、ＲＡＭ４２の切替指示受信バッファ４２１に記憶されているか否か判断される。
【００４５】
ここで、コンソール端末５から新たに送信された切替指示情報を受信しておらず、ＲＡＭ４２の切替指示受信バッファ４２１に記憶されていない場合（Ｓ３２：ＮＯ）、表示端末６においてキー入力があったか否か判断される（Ｓ３６）。例えば、キー入力があった場合（Ｓ３６：ＹＥＳ）、その表示端末６の表示パネル４８に表示されている文書に対して、利用者が個人的に閲覧をしたいとき、連動状態のままでは、メイン画像の切替えに連動して、表示パネル４８に表示されている画像も切り替わってしまう。このような場合は、非連動処理が実行される（Ｓ３７）。
【００４６】
また、ＲＡＭ４２の切替指示受信バッファ４２１に新たな切替指示情報が記憶されておらず（Ｓ３２：ＮＯ）、キー入力もない場合（Ｓ３６：ＮＯ）、例えば、表示端末６が机上から持ち上げられて利用者の手中にあるか否か判断される（Ｓ３８）。利用者が表示端末６を手にとった場合、表示端末６は、机上に置かれたときの基本姿勢に対して傾いた状態となる。この傾きを、加速度センサ５８によって検出することで、利用者が表示端末６を手に持っているか否かを判断できる。利用者が表示端末６を手に持っていると判断された場合（Ｓ３８：ＹＥＳ）、例えば、利用者は、表示端末６を手に持って表示パネル４８に表示されている文書の特定ページについて精査したい場合がある。このような場合に連動状態のままでは、メイン画像の切替えに連動して、表示パネル４８に表示されている画像も切り替わってしまう。従って、このような場合も非連動処理が実行される（Ｓ３７）。
【００４７】
なお、利用者が表示端末６を手に持っておらず、机上に置かれたままと判断された場合は（Ｓ３８：ＮＯ）、Ｓ３２に戻り、コンソール端末５からの切替指示情報が記憶されているか、キー入力があったか（Ｓ３６）、表示端末６を利用者が手に持っているか（Ｓ３８）について、引き続き監視される。
【００４８】
次に、非連動処理について、図７のフローチャートを参照して説明する。まず、ＲＡＭ４２の連動フラグ記憶領域４２４（図４参照）に記憶された連動フラグがオフされる（Ｓ４１）。これにより、表示端末６は、「非連動状態」となり、コンソール端末５においてメイン画像が切り替わってもそれに連動せず、表示端末６の操作によってのみ、表示パネル４８に表示されている画像の制御が可能となる。次いで、前キー５５が押されたか、次キー５４が押されたか判断される（Ｓ４２，Ｓ４７）。
【００４９】
前キー５５が押された場合（Ｓ４２：ＹＥＳ）、ＲＡＭ４２の表示中ページ数記憶領域４２３に記憶された表示中ページ数が減らされる（Ｓ４３）。さらに、その表示中ページ数記憶領域４２３に記憶された表示中ページ数に対応するページデータが、メモリカード４７に記憶された文書データ９０（図３参照）から取得されて、表示パネル４８の表示が切替えられる（Ｓ４４）。そして、ＲＡＭ４２のキー取得時刻記憶領域４２５に現在時刻が記憶される（Ｓ４５）。
【００５０】
一方、次キー５４が押された場合（Ｓ４２：ＮＯ、Ｓ４７：ＹＥＳ）、ＲＡＭ４２の表示中ページ数記憶領域４２３に記憶された表示中ページ数が増やされる（Ｓ４８）。さらに、その表示中ページ数記憶領域４２３に記憶された表示中ページ数に対応するページデータが、メモリカード４７に記憶された文書データ９０（図３参照）から取得されて、表示パネル４８の表示が切替えられる（Ｓ４４）。そして、ＲＡＭ４２のキー取得時刻記憶領域４２５に現在時刻が記憶される（Ｓ４５）。
【００５１】
なお、前キー５５、次キー５４の何れも押されない場合は（Ｓ４２：ＮＯ、Ｓ４７：ＮＯ）、表示パネル４８に表示された画像は更新されないので、利用者はその文書のページを十分に参照できる。そして、Ｓ４２に戻り、引き続き、前キー５５、次キー５４の押下について監視される。
【００５２】
ところで、ＲＡＭ４２のキー取得時刻記憶領域４２５に現在時刻が記憶されると（Ｓ４５）、続いて、キーが押されたか否か判断される（Ｓ４６）。キーが押されたと判断された場合（Ｓ４６：ＹＥＳ）、Ｓ４２に戻り、前キー５５、又は次キー５４の何れが押されたか判断される。そして、押されたキーの内容で、表示パネル４８に表示された画像が切切り替わり（Ｓ４４）、処理が繰り返される。
【００５３】
これに対し、キーが押されていないと判断された場合（Ｓ４６：ＮＯ）、ＲＡＭ４２のキー取得時刻記憶領域４２５に記憶された時刻から現在時刻を差し引いた経過時間が算出される。そして、キー取得時刻から３０秒経過したか否か判断される（Ｓ４９）。そして、３０秒が経過した場合（Ｓ４９：ＹＥＳ）、利用者は表示端末６について操作を終了し、机上に置いたと可能性が高い。このような場合、コンソール端末５のメイン画像の切替えに再度連動させるべく、ＲＡＭ４２の連動フラグ記憶領域４２４に記憶された連動フラグがオンされる（Ｓ５０）。これにより、「非連動状態」から「連動状態」に切り替わる。そして、コンソール端末５に対して、最新の切替指示情報を要求する要求情報が送信される（Ｓ５１）。こうして、非連動処理が終了し、図６のＳ３２に戻り、ＲＡＭ４２の切替指示受信バッファ４２１に記憶されているか否か判断される。
【００５４】
なお、要求情報を受信したコンソール端末５では、ＨＤＤ３１に記憶されている表示中文書ＩＤ、及び表示中ページ数が、切替指示情報として表示端末６に送信される。最新の切替指示情報を受信した表示端末６では、ＲＡＭ４２の切替指示受信バッファ４２１に記憶される。従って、図６のＳ３２において、最新の切替指示情報が記憶されているので、「連動状態」に切り替える直前の切替指示情報に従うことによって、スクリーン１１に表示されている現在のメイン画像と同一の画像を、表示パネル４８に確実に表示させることができる。
【００５５】
また、キー取得時刻から３０秒経過していない場合（Ｓ４９：ＮＯ）、表示端末６が机上に置かれたか否か判断される（Ｓ５２）。表示端末６が基本姿勢にないことを加速度センサ５８によって検知した場合、表示端末６はまだ利用者が手に持っている。よって、表示端末６は机上にはないと判断されるので（Ｓ５２：ＮＯ）、Ｓ４６に戻り、キーが押されたか否か再度判断される。
【００５６】
一方、表示端末６が基本姿勢に戻ったことを加速度センサ５８によって検知した場合、表示端末６は机上に載置されたと判断されるので（Ｓ５２：ＹＥＳ）、コンソール端末５のメイン画像の切替えに再度連動させるべく、ＲＡＭ４２の連動フラグ記憶領域４２４に記憶された連動フラグがオンされる（Ｓ５０）。これにより、「非連動状態」から「連動状態」に切り替わる。そして、コンソール端末５に対して、最新の切替指示情報を要求する要求情報が送信される（Ｓ５１）。こうして、非連動処理が終了し、図６のＳ３２に戻り、ＲＡＭ４２の切替指示受信バッファ４２１に記憶されているか否か判断される。
【００５７】
以上説明したように、本実施形態の会議システム１は、メイン画像の表示制御を行うコンソール端末５と、そのコンソール端末５と通信を行い、メイン画像と同一の画像を表示可能な表示端末６〜９とを備えている。コンソール端末５は、表示端末６〜９に対して、メイン画像と同一の画像についての表示を指示する切替指示情報を送信する。表示端末６〜９では、受信した切替指示情報に基づき、個々の表示パネル４８にメイン画像と同一の画像を表示する。よって、メイン画像の切替えに連動して、各表示端末６〜９の画像も切り替わる。そして、表示端末６にキー取得があった場合は、表示パネル４８に表示されている画像について、コンソール端末５によるメイン画像の切替えに連動しない非連動状態となる。この状態においても、表示端末６では、コンソール端末５から送信される切替指示情報が、ＲＡＭ４２にバッファリングして記憶される。そして、表示端末６において所定時間以上キー取得がなかった場合、再度コンソール端末５によるメイン画像の切替えに連動させる。このとき、ＲＡＭ４２にバッファリングしていた切替指示情報に基づき、現在のメイン画像と同一の画像を容易に特定できる。従って、コンソール端末５によるメイン画像の切替えに迅速かつ確実に復帰できるので、利便性のある会議システム１、表示端末６〜９を提供できる。
【００５８】
なお、本発明は上記実施の形態に限定されず、様々な変形が可能である。例えば、上記実施形態では、図７に示すフローの非連動処理において、非連動状態でキー入力がされて３０秒経過した場合は、連動フラグをオンして、連動状態に復帰させている。そこで、例えば、連動フラグがオンされるＳ５０の処理の実行の後に、非連動状態中にＲＡＭ４２にバッファリングされた切替指示情報に従い、対応する文書データ９０のページデータを所定時間毎に切替えるスライドショー表示を実行してもよい。これにより、非連動状態中で、表示端末６の利用者が見られなかったメイン画像についても確認できる。その後、コンソール端末５からの切替指示情報を送信することで（Ｓ５１）、新たな切替指示情報を受信する。このように、スライドショー表示を実行することで、それまでのメイン画像の切り替わりの経緯を把握した状態で、現在のメイン画像と同一画像を参照できる。
【００５９】
なお、スライドショーの他にも、例えば、ＲＡＭ４２にバッファリングされた切替指示情報に従い、非連動状態中に切り替わった画像を、表示パネル４８の所定位置に並べて表示するようにしてもよい。
【００６０】
また、上記実施形態では、表示端末６を手に持っているか否かを、加速度センサ５８によって検出しているが、例えば、表示端末６がクレイドル（cradle）に設置されてているか否かで検出するようにしてもよい。クレイドルは、表示端末６の位置を検出する「位置検出手段」に相当する。クレイドルと表示端末６とを無線又は有線で通信可能とし、クレイドルにおいて表示端末６の着脱を検出する。クレイドルが表示端末６を検出した場合は、表示端末６は机上に置かれ、手に持っていないと判断できる。クレイドルが表示端末６を検出しない場合は、表示端末６は手に持っていると判断できる。この判断処理は、図６のＳ３８、図７のＳ５２の処理に該当する。
【００６１】
この他にも、例えば、表示端末６の無接点給電を行う給電機器によって、表示端末６が給電を受けているか否かで、表示端末６を手に持っているか否かを判断できる。給電機器による給電を受けていることを検出した場合は、表示端末６は机上に置かれ、手に持っていないと判断できる。給電機器による給電を受けていないことを検出した場合は、表示端末６は手に持っていると判断する。この判断処理は、図６のＳ３８、図７のＳ５２の処理に該当する。
【００６２】
また、上記実施形態では、図６のフローのＳ３６において、キー取得があるか否かで、非連動処理に移行する判断をしている。例えば、表示端末６を手に持っているか否かのみで、非連動処理に移行する判断をしてもよい。このような変形例について、図８，図９のフローチャートを参照して説明する。ここでは、図６に示す表示端末側制御処理、図７に示す非連動処理と異なるステップを中心に説明する。
【００６３】
図８に示す表示端末側表示制御処理において、例えば、コンソール端末５から新たに送信された切替指示情報を受信しておらず、ＲＡＭ４２の切替指示受信バッファ４２１に記憶されていない場合（Ｓ３２：ＮＯ）、表示端末６を手に持っているか否か判断される（Ｓ６１）。加速度センサ５８が表示端末６の傾きを検出しなかったことで、表示端末６を手に持ってないと判断された場合（Ｓ６１：ＮＯ）、Ｓ３２に戻る。加速度センサ５８が表示端末６の傾きを検出し、表示端末６を手に持っていると判断された場合（Ｓ６１：ＹＥＳ）、非連動処理に移行する（Ｓ６２）。
【００６４】
図９に示す非連動処理において、上記実施形態と同様に、ＲＡＭ４２の連動フラグ記憶領域４２４に記憶された連動フラグがオフされ（Ｓ４１）、非連動状態となる。そして、前キー５５、次キー５４の操作に応じて、表示パネル４８の画像が切り替わる（Ｓ４２〜Ｓ４４、Ｓ４７，Ｓ４８）。そして、Ｓ４４の処理後、表示端末６が机上に置かれたか否か判断される（Ｓ６５）。表示端末６が基本姿勢にないことを加速度センサ５８によって検知した場合、表示端末６はまだ利用者が手に持っている。よって、表示端末６は机上にはないと判断されるので（Ｓ６５：ＮＯ）、Ｓ４２に戻り、前キー５５、次キー５４の操作（Ｓ４７）に応じて表示パネル４８の画像が切り替わる。
【００６５】
一方、表示端末６が基本姿勢にないことを加速度センサ５８によって検知した場合、表示端末６は机上に置かれているので（Ｓ６５：ＹＥＳ）、コンソール端末５のメイン画像の切替えに再度連動させるべく、ＲＡＭ４２の連動フラグ記憶領域４２４に記憶された連動フラグがオンされる（Ｓ６６）。これにより、「非連動状態」から「連動状態」に切り替わる。そして、コンソール端末５に対して、最新の切替指示情報を要求する切替指示要求情報が送信される（Ｓ６７）。こうして非連動処理が終了し、図８のＳ３２に戻る。なお、Ｓ６１，Ｓ６５の判断処理は、クレイドル等を利用してもよい。
【００６６】
また、上記実施形態では、図７のフローのＳ５１において、コンソール端末５に対して切替指示情報を要求しているが、切替指示情報を要求せずに、次にコンソール端末５から送信される新たな切替指示情報を受信するまで待機させてもよい。
【００６７】
また、上記実施形態では、コンソール端末５が表示端末６〜９に対して切替指示情報を送信している。その切替指示情報において、表示中文書ＩＤと、表示中ページ数とを指定することで、各表示端末６〜９の画面をメイン画像に同期させている。これは、表示させる文書、ページを指定する絶対指定の方法である。この方法であるから、表示端末６では非連動状態から連動状態に切り替わったときに、ＲＡＭ４２の切替指示受信バッファ４２１に記憶された最新の切替指示情報に従えば、現在のメイン画像を簡単に表示させることができる。
【００６８】
このような絶対指定の方法に対し、前回の表示状態に対する相対的な変化量を指定する相対指定の方法でもよい。例えば、切替指示情報において、次ページ、前ページ、１０行スクロール等のような指定をしてもよい。この場合、少なくとも非連動中に受信した切替指示情報が必要となる。故に、例えば、連動状態から非連動状態への切替時以降の切替指示情報を抽出できるように、マーキングを行ってもよい。また、非連動状態か否かを検出し、非連動状態のときのみ切替指示情報を記憶するようにしてもよい。
【００６９】
なお、以上説明において、コンソール端末５が本発明の「画像制御装置」に相当し、メモリカード４７が本発明の「画像情報記憶手段」に相当し、ＲＡＭ４２が本発明の「切替指示情報記憶手段」に相当する。図６のＳ３１、図７のＳ４１、Ｓ５０の処理を実行するＣＰＵ４０が本発明の「切替手段」に相当し、図６のＳ３６、図８のＳ６１の処理を実行するＣＰＵ４０が本発明の「状態切替検出手段」に相当する。
【符号の説明】
【００７０】
１    会議システム
５    コンソール端末
６〜９  表示端末
２０    ＣＰＵ
３１    ＨＤＤ
４０    ＣＰＵ
４２    ＲＡＭ
４３    ＥＥＰＲＯＭ
【図１】
2012048607.tif 000003
【図２】
2012048607.tif 000004
【図３】
2012048607.tif 000005
【図４】
2012048607.tif 000006
【図５】
2012048607.tif 000007
【図６】
2012048607.tif 000008
【図７】
2012048607.tif 000009
【図８】
2012048607.tif 000010
【図９】
2012048607.tif 000011